(57)【特許請求の範囲】
【請求項１】
本体ケース(1)の正面に形成された複数の差込口(2)から電線(3)を差し込むことにより、本体ケース(1)内に設置された導電体金属製のコンタクト(4A)と圧接スプリング(4)とに電線(3)の裸線(3a)が接触して各電線が通電状態に接続される電線コネクタであって、本体ケース(1)の背面に前記差込口(2)に連通して裸線(3a)が貫通する貫通孔(5)が設けられ、この貫通孔(5)の周囲をカバーする開閉可能な絶縁蓋(6)が設けられている電線コネクタ。
【請求項２】
前記絶縁蓋(6)が本体ケース(1)に対して前後にスライド可能な軸部(7)を介して回動摺動可能に取り付けられている請求項１に記載の電線コネクタ。
【請求項３】
前記絶縁蓋(6)が本体ケース(1)に対してヒンジ(9)を介して回動可能に設けられている請求項１に記載の電線コネクタ。
【請求項４】
前記絶縁蓋(6)が本体ケース(1)とは別体で形成されて本体ケース(1)に着脱可能に形成されている請求項１に記載の電線コネクタ。
【発明の詳細な説明】
【０００１】
【発明が属する技術分野】
本発明は、本体ケースに形成された複数の電線差込口に被覆を剥いだ電線の裸線を差し込むことにより本体ケース内に設置された導電体金属製のコンタクトに接触して各電線が通電状態に接続される差込方式の電線コネクタの改良に関するものである。
【０００２】
【従来の技術】
従来、上記した差込方式の電線コネクタは、電線の裸線を差し込むだけで結線できる便益性がかわれて巾広く使用されている。しかし作業が簡単であるがために接続不十分によるトラブルが多く発生し大きな問題となっている。この接続不十分の要因として、裸線の挿入不足や、皮膜剥離不十分による裸線長さの不足が挙げられ、この内容は目視では充分な確認ができない。また確実な接続を行うために裸線部分を長くとると、逆にコネクタの電線差込口から裸線部分が露出し、その為にテーピング等の後処理が必要となってかえって手間がかかるといった問題点がある。
【０００３】
【発明が解決しようとする課題】
そこで本発明では、従来の差込方式のコネクタによる電線接続作業で、チェック工程を経ない限り作業が完了しないようにしたコネクタを提供し、以って上記した従来課題の解決を図ることを主たる目的とするものである。
【０００４】
【課題を解決するための手段】
上記目的を達成するために本発明では次のような技術的手段を講じた。即ち本発明に係る電線コネクタにあっては、本体ケース１の正面に形成された複数の差込口２から電線３を差し込むことにより、本体ケース１内に設置された導電体金属製のコンタクト４Ａと圧接スプリング４とに電線３の裸線３ａが接触して各電線が通電状態に接続される電線コネクタであって、本体ケース１の背面に前記差込口２に連通して裸線３ａが貫通する貫通孔５が設けられ、この貫通孔５をカバーする絶縁蓋６が設けられている構造とした。従って電線を接続する際に裸線３ａを背面の貫通孔５から突き出させ、この裸線３ａの突き出た余分な部分をカットした後、絶縁蓋６を閉じるチェック工程を経ることにより、裸線３ａの挿入不足による接続不良を確実に防止できる。
【０００５】
前記絶縁蓋６は本体ケース１に対して前後にスライド可能な軸部７を介して回動摺動可能に取り付けるのが好ましいが、ヒンジ９を介して本体ケース１に回動可能に取り付けてもよく、また本体ケース１とは別体で形成して本体ケース１に着脱可能に取り付けることができるようにしてもよい。
【０００６】
【発明の実施の形態】
以下本発明に係る電線コネクタの詳細を説明する。
図１乃至図５は本発明の第１の実施例を示すものであって、符号１は本発明に係る電線コネクタの本体ケースであって、これの正面に電線３を差し込むための複数の、例えば３つの差込口２が本体ケース１に挿入された電線ガイド２Ａに設けられている。この差込口２から被覆を剥いだ電線３の裸線３ａを差し込むことにより本体ケース１内に設置された導電体金属製の通電コンタクト４Ａと、このコンタクト４Ａに対して裸線３ａを圧接するスプリング４で圧接し、これら両部材４Ａ，４で各電線３が通電状態に接続できる構造となっている。
【０００７】
更に本発明にあっては、本体ケース１の背面に前記差込口２に連通して裸線３ａが貫通突出する貫通孔５が設けられ、この貫通孔５を含む本体ケース１の背面部分をカバーする絶縁蓋６が設けられている。
【０００８】
本実施例では前記絶縁蓋６は、図４に示すように本体ケース１の側面に形成した長孔８に沿って前後にスライドする軸部７を介して回動摺動可能に取り付けられており、又、図５に示すように蓋をしたときに貫通孔５を設けた本体ケース１の背面部分が貫通孔５から突出した裸線３ａを含めて全体的にカバーできるように形成されている。尚、図２の縦断面図に示したように、絶縁蓋６を閉じたときにその閉じ姿勢を保持するフック６ａ並びにロック溝１ａが絶縁蓋６並びに本体ケース１に設けられている。
【０００９】
上記のコネクタを使用するに際して、先ず接続すべき電線３の裸線３ａの長さを本体ケース１の前後長さと略等しい長さにして、電線３をその被覆部分が電線差込口２に陥没するまで充分挿入して裸線３ａの先端を背面貫通孔５から突出させ、その突出した部分をペンチやカッター等の工具で所要長さにカットした後、絶縁蓋６で裸線３ａの先端を含む本体ケース背面部分をカバーして作業を終了する。即ち、この一連のチェック工程によって裸線３ａの挿入不足による接続不良を確実に防止できると共に、裸線３ａが差込口２から露出することも未然に防止でき、確実な接続を達成することができる。
【００１０】
尚、本発明における絶縁蓋６は図６に示すようにヒンジ９を介して本体ケース１に回動可能に取り付けてもよく、また図７に示すように、本体ケース１とは別体で形成して本体ケース１に着脱可能に取り付けることができるようにしてもよい。この図７で示した実施例では、前記フック６ａに代えてロック孔６ｂが設けられ、このロック孔６ｂが本体ケース１の側面に設けたフック１ｂに係合して閉じ姿勢が保持できるように形成されている。
【００１１】
以上本発明の代表的な実施例について説明したが、本発明は必ずしも上記の実施例構造のみに特定されるものではない。例えば接続すべき電線の差込口２並びにこれに連なる貫通孔５の数は２つ又は４つ以上であってもよい。その他本発明の構成要件を備え、且つ効果を有する範囲内で適宜変更して実施できることは勿論である。
【００１２】
【発明の効果】
本発明の電線コネクタは上記した如く、本体ケースの背面に裸電線の貫通孔を形成して、この貫通孔から突出させた裸線先端の突出部分をカットして絶縁蓋を閉じるといった一連のチェック工程を経ない限り接続作業が完了しないので、裸線挿入不足による隣接電線どうしの接続不良を確実に防止できると共に、裸線が挿入不足のため引き抜き方向の外力によって、差込口から露出することも未然に防止でき、確実な接続、結線を達成することができるといった優れた効果がある。
【図面の簡単な説明】
【図１】本発明に係る電線コネクタ一実施例を示す斜視図。
【図２】上記電線コネクタの絶縁蓋を閉じた状態の縦断面図。
【図３】上記電線コネクタの絶縁蓋を閉じた状態の横断面図。
【図４】上記電線コネクタに電線を挿入した状態を示す斜視図。
【図５】上記電線コネクタによって電線を接続した状態を示す斜視図。
【図６】本発明に係る電線コネクタの別の実施例を示す斜視図。
【図７】本発明に係る電線コネクタの更に別の実施例を示す斜視図。
【符号の説明】
１  本体ケース
２  電線差込口
３  電線
３ａ  電線の裸線
４  圧接スプリング
４Ａ  コンタクト
５  貫通孔
６  絶縁蓋
７  軸部
９  ヒンジ
【図１】
0003650842.tif 000002
【図２】
0003650842.tif 000003
【図３】
0003650842.tif 000004
【図４】
0003650842.tif 000005
【図５】
0003650842.tif 000006
【図６】
0003650842.tif 000007
【図７】
0003650842.tif 000008